(57)【要約】【課題】  待機モード中に電力消費を最小化し、多様な入力に対応して通常モードに移行する動作を実行できる電子装置及びその制御方法を提供する。【解決手段】  本発明は電子装置及びその制御方法に係り、電子装置は、所定の動作を実行する動作実行部と、通常モード中に前記動作実行部の動作を制御し、待機モード中に節電状態になる第１主制御部と、入力信号を受信する入力受信部と、前記入力信号に関する処理を実行し、前記待機モード中に節電状態になる第２主制御部と、前記待機モードで前記入力信号の受信時、前記第２主制御部が前記入力信号に関する処理を実行するように制御する副制御部と、を含み、前記第２主制御部は、前記副制御部の制御にしたがって前記受信された入力信号に関する処理を実行し、前記入力信号が前記通常モードの移行を示すならば、前記第１主制御部が前記通常モードで動作するように制御し、そうでなければ前記待機モードの節電状態に戻る。【選択図】      図１
2014089711.tif 000002
【特許請求の範囲】
【請求項１】
電子装置において、
所定の動作を実行する動作実行部と、
通常モード中に前記動作実行部の動作を制御し、待機モード中に節電状態になる第１主制御部と、
入力信号を受信する入力受信部と、
前記入力信号に関する処理を実行し、前記待機モード中に節電状態になる第２主制御部と、
前記待機モードで前記入力信号が受信されると、前記第２主制御部が前記入力信号に関する処理を実行するように制御する副制御部と、
を含み、
前記第２主制御部は、前記副制御部の制御にしたがって前記受信された入力信号に対して処理を実行し、前記入力信号が前記通常モードへの移行を示す場合、前記第１主制御部が前記通常モードで動作するように制御し、そうでなければ前記待機モードの節電状態で動作することを特徴とする電子装置。
【請求項２】
前記入力信号に関する情報を保存する保存部をさらに含み、
前記第２主制御部は前記保存部に保存された前記入力信号に関する情報に基づいて前記入力信号に対する処理を実行することを特徴とする請求項１に記載の電子装置。
【請求項３】
前記第２主制御部は前記副制御部の制御にしたがって初期化動作を開始し、
前記副制御部は前記第２主制御部の初期化動作が完了すると前記保存部に保存された前記入力信号に関する情報を前記第２主制御部に送信することを特徴とする請求項２に記載の電子装置。
【請求項４】
前記副制御部は、
前記入力信号が前記通常モードへの移行を示す場合、前記第２主制御部の制御にしたがって、前記第１主制御部が前記通常モードで動作するように制御する第１副制御部と、
前記待機モードで前記入力信号を受信した場合、前記第２主制御部が前記入力信号に対して処理を実行するように制御する第２副制御部と、
を含むことを特徴とする請求項１乃至３のいずれか一項に記載の電子装置。
【請求項５】
前記入力受信部は、ユーザーの音声命令を含む前記入力信号を受信する第１入力受信部を含み、
前記第２主制御部は前記音声命令が前記通常モードへの移行を示すかどうかを判断する主音声認識部を含むことを特徴とする請求項４に記載の電子装置。
【請求項６】
前記第２副制御部は、前記入力信号に対して音声前処理を実行する副音声認識部を含むことを特徴とする請求項４又は５に記載の電子装置。
【請求項７】
前記入力受信部は、ユーザーの操作命令を含む前記入力信号を受信する第２入力受信部をさらに含み、
前記第１副制御部は、前記操作命令が前記通常モードへの移行を示す場合に前記第１主制御部が前記通常モードで動作するように制御することを特徴とする請求項４乃至６のいずれか一項に記載の電子装置。
【請求項８】
前記動作実行部は、
映像信号を受信する信号受信部と、
前記映像信号を処理する映像処理部と、
前記処理された映像信号に基づいて映像を表示するディスプレイ部と、
を含むことを特徴とする請求項１乃至７のいずれか一項に記載の電子装置。
【請求項９】
所定の動作を実行する動作実行部と、通常モード中に前記動作実行部の動作を制御し、待機モード中に節電状態になる第１主制御部と、入力信号に対して処理を実行し、前記待機モード中に節電状態になる第２主制御部と、を含む電子装置の制御方法において、
前記待機モードで入力信号を受信する段階と、
前記第２主制御部が前記受信された入力信号に対して処理を実行するように制御する段階と、
前記第２主制御部によって、前記受信された入力信号に対して処理を実行する段階と、
前記第２主制御部によって、前記入力信号が前記通常モードへの移行を示すならば、前記第１主制御部が前記通常モードで動作するように制御し、そうでなければ前記待機モードの節電状態で動作する段階と、
を含むことを特徴とする電子装置の制御方法。
【請求項１０】
保存部に前記入力信号に関する情報を保存する段階をさらに含み、
前記受信された入力信号に対して処理を実行する段階は、前記保存部に保存された前記入力信号に関する情報に基づいて前記入力信号に対する処理を実行する段階を含むことを特徴とする請求項９に記載の電子装置の制御方法。
【請求項１１】
前記第２主制御部によって、前記副制御部の制御にしたがって初期化動作を開始する段階と、
前記第２主制御部の初期化動作が完了すると前記保存部に保存された前記入力信号に関する情報を前記第２主制御部に送信する段階と、
をさらに含むことを特徴とする請求項１０に記載の電子装置の制御方法。
【請求項１２】
前記入力信号が前記通常モードへの移行を示す場合、前記第２主制御部の制御によって、前記第１主制御部が前記通常モードで動作するように制御する段階をさらに含むことを特徴とする請求項９乃至１１のいずれか一項に記載の電子装置の制御方法。
【請求項１３】
前記入力信号を受信する段階は、ユーザーの音声命令を含む前記入力信号を受信する段階を含み、
前記受信された入力信号に対して処理を実行する段階は、前記音声命令が前記通常モードへの移行を示すかどうかを判断する段階を含むことを特徴とする請求項１２に記載の電子装置の制御方法。
【請求項１４】
前記入力信号に対して音声前処理を実行する段階をさらに含むことを特徴とする請求項１２又は１３に記載の電子装置の制御方法。
【請求項１５】
前記入力信号を受信する段階は、ユーザーの操作命令を含む前記入力信号を受信する段階をさらに含み、
前記操作命令が前記通常モードへの移行を示す場合に前記第１主制御部が前記通常モードで動作するように制御する段階をさらに含むことを特徴とする請求項１２乃至１４のいずれか一項に記載の電子装置の制御方法。
【発明の詳細な説明】
【技術分野】
【０００１】
本発明は、電子装置及びその制御方法等にかかり、特に、電力節減のための待機モードを有する電子装置及びその制御方法に関する。
【背景技術】
【０００２】
一般的に、ＴＶ等のような電子装置は通常動作する通常モードと、電力節減のための待機モードを有する。最近、消費電力に対する関連規格によると、待機モード中に電子装置の消費電力が例えば、０．５ワット以下になるように規定している。
【０００３】
一方、電子装置は待機モード中に通常モードに移行するためにユーザーの入力を受信する必要がある。例えば、ＴＶのような電子装置は電源オフ状態でリモコンや、操作パネルを通じてユーザーの電源オン命令が入力されると、通常モードに移行して動作するようになる。
【０００４】
ところで、最近、ユーザーの入力方式が発展することによって、リモコンや、操作パネルを利用する操作命令だけでなく、音声や、ジェスチャーのような多様な形態の入力もたくさん利用されている。
【０００５】
しかし、このような音声や、ジェスチャーのような多様な入力を受信して処理するためには対応する処理能力を有する構成（プロセッサー等）が必要だが、このような構成は通常的に電力消費が大きくて前述のように待機モード中に消費電力制限規格を満足しにくいという問題がある。
【０００６】
具体的に、図６に示す従来技術による電子装置６は、電子装置６の主要機能を実行する動作実行部６１と、主プロセッサーを含む主制御部６２には、待機モード中に電源供給部６６から電源が供給されない。しかし、副プロセッサーを含む副制御部６５は待機モード中に正常で動作しながら、入力受信部６３を通じて待機モードから覚めるようにする入力信号の受信有無を確認する。万一、待機モードから覚めるようにする入力信号が受信されれば、副制御部６５は主制御部６２が覚めて動作するよう、動作実行部６１に電源が供給されるように制御する。しかし、入力信号が例えばリモコンの電源オン信号である場合のように副制御部６５が単純にキー入力値を処理する程度のきわめて低電力を消費する場合には何ら問題がないが、音声や動作のような入力信号の内容を分析しなければならない場合には分析エンジンを駆動するほど少なくない電力を消費するので、前述のように待機モード中に消費電力制限規格を満足しにくいという問題がある。
【発明の概要】
【発明が解決しようとする課題】
【０００７】
従って、本発明の目的は、待機モード中に電力消費を最小化し、多様な入力に対応して通常モードに移行する動作を実行できる電子装置及びその制御方法を提供することを目的とする。
【課題を解決するための手段】
【０００８】
本発明の目的は、電子装置において、所定の動作を実行する動作実行部と、通常モード中に前記動作実行部の動作を制御し、待機モード中に節電状態になる第１主制御部と、入力信号を受信する入力受信部と、前記入力信号に関する処理を実行し、前記待機モード中に節電状態になる第２主制御部と、前記待機モードで前記入力信号が受信されると、前記第２主制御部が前記入力信号に関する処理を実行するように制御する副制御部と、を含み、前記第２主制御部は、前記副制御部の制御にしたがって前記受信された入力信号に対して処理を実行し、前記入力信号が前記通常モードへの移行を示す場合、前記第１主制御部が前記通常モードで動作するように制御し、そうでなければ前記待機モードの節電状態で動作することを特徴とする電子装置によって達成されることができる。
【０００９】
本発明の目的は、所定の動作を実行する動作実行部と、通常モード中に前記動作実行部の動作を制御し、待機モード中に節電状態になる第１主制御部と、入力信号に対して処理を実行し、前記待機モード中に節電状態になる第２主制御部と、を含む電子装置の制御方法において、前記待機モードで入力信号を受信する段階と、前記第２主制御部が前記受信された入力信号に対して処理を実行するように制御する段階と、前記第２主制御部によって、前記受信された入力信号に対して処理を実行する段階と、前記第２主制御部によって、前記入力信号が前記通常モードへの移行を示すならば、前記第１主制御部が前記通常モードで動作するように制御し、そうでなければ前記待機モードの節電状態で動作する段階と、を含むことを特徴とする電子装置の制御方法によっても達成されることができる。
【００１０】
前述のように、本発明によれば、待機モード中に電力消費を最小化し、多様な入力に対応して通常モードに移行する動作を実行できる。
【図面の簡単な説明】
【００１１】
【図１】本発明の一実施形態による電子装置の構成を示すブロック図である。
【図２】本発明の一実施形態による電子装置の動作を示すフローチャートである。
【図３】本発明の一実施形態による電子装置の構成を示すブロック図である。
【図４】本発明の一実施形態による電子装置の動作を示すフローチャートである。
【図５】本発明の一実施形態による電子装置の構成を示すブロック図である。
【図６】本発明の関連技術による電子装置の構成を示すブロック図である。
【発明を実施するための形態】
【００１２】
（実施の形態の概要）
本発明の目的は、電子装置において、所定の動作を実行する動作実行部と、通常モード中に前記動作実行部の動作を制御し、待機モード中に節電状態になる第１主制御部と、入力信号を受信する入力受信部と、前記入力信号に関する処理を実行し、前記待機モード中に節電状態になる第２主制御部と、前記待機モードで前記入力信号が受信されると、前記第２主制御部が前記入力信号に関する処理を実行するように制御する副制御部と、を含み、前記第２主制御部は、前記副制御部の制御にしたがって前記受信された入力信号に対して処理を実行し、前記入力信号が前記通常モードへの移行を示す場合、前記第１主制御部が前記通常モードで動作するように制御し、そうでなければ前記待機モードの節電状態で動作することを特徴とする電子装置によって達成されることができる。
【００１３】
電子装置は、前記入力信号に関する情報を保存する保存部をさらに含み、前記第２主制御部は前記保存部に保存された前記入力信号に関する情報に基づいて前記入力信号に対する処理を実行することができる。
【００１４】
電子装置は、前記第２主制御部は前記副制御部の制御にしたがって初期化動作を開始し、前記副制御部は前記第２主制御部の初期化動作が完了すると前記保存部に保存された前記入力信号に関する情報を前記第２主制御部に送信することができる。
【００１５】
前記副制御部は、前記入力信号が前記通常モードへの移行を示す場合、前記第２主制御部の制御にしたがって、前記第１主制御部が前記通常モードで動作するように制御する第１副制御部と、前記待機モードで前記入力信号を受信した場合、前記第２主制御部が前記入力信号に対して処理を実行するように制御する第２副制御部と、を含むことができる。
【００１６】
前記入力受信部は、ユーザーの音声命令を含む前記入力信号を受信する第１入力受信部を含み、前記第２主制御部は前記音声命令が前記通常モードへの移行を示すかどうかを判断する主音声認識部を含むことができる。
【００１７】
前記第２副制御部は、前記入力信号に対して音声前処理を実行する副音声認識部を含むことを特徴とすることができる。
【００１８】
前記入力受信部は、ユーザーの操作命令を含む前記入力信号を受信する第２入力受信部をさらに含み、前記第１副制御部は、前記操作命令が前記通常モードへの移行を示す場合に前記第１主制御部が前記通常モードで動作するように制御することができる。
【００１９】
前記動作実行部は、映像信号を受信する信号受信部と、前記映像信号を処理する映像処理部と、前記処理された映像信号に基づいて映像を表示するディスプレイ部と、を含むことができる。
【００２０】
本発明の目的は、所定の動作を実行する動作実行部と、通常モード中に前記動作実行部の動作を制御し、待機モード中に節電状態になる第１主制御部と、入力信号に対して処理を実行し、前記待機モード中に節電状態になる第２主制御部と、を含む電子装置の制御方法において、前記待機モードで入力信号を受信する段階と、前記第２主制御部が前記受信された入力信号に対して処理を実行するように制御する段階と、前記第２主制御部によって、前記受信された入力信号に対して処理を実行する段階と、前記第２主制御部によって、前記入力信号が前記通常モードへの移行を示すならば、前記第１主制御部が前記通常モードで動作するように制御し、そうでなければ前記待機モードの節電状態で動作する段階と、を含むことを特徴とする電子装置の制御方法によっても達成されることができる。
【００２１】
電子装置の制御方法は、保存部に前記入力信号に関する情報を保存する段階をさらに含み、前記受信された入力信号に対して処理を実行する段階は、前記保存部に保存された前記入力信号に関する情報に基づいて前記入力信号に対する処理を実行する段階を含むことができる。
【００２２】
電子装置の制御方法は、前記第２主制御部によって、前記副制御部の制御にしたがって初期化動作を開始する段階と、前記第２主制御部の初期化動作が完了すると前記保存部に保存された前記入力信号に関する情報を前記第２主制御部に送信する段階と、をさらに含むことができる。
【００２３】
電子装置の制御方法は、前記入力信号が前記通常モードへの移行を示す場合、前記第２主制御部の制御によって、前記第１主制御部が前記通常モードで動作するように制御する段階をさらに含むことができる。
【００２４】
前記入力信号を受信する段階は、ユーザーの音声命令を含む前記入力信号を受信する段階を含み、前記受信された入力信号に対して処理を実行する段階は、前記音声命令が前記通常モードへの移行を示すかどうかを判断する段階を含むことができる。
【００２５】
電子装置の制御方法は、前記入力信号に対して音声前処理を実行する段階をさらに含むことができる。
【００２６】
前記入力信号を受信する段階は、ユーザーの操作命令を含む前記入力信号を受信する段階をさらに含み、前記操作命令が前記通常モードへの移行を示す場合に前記第１主制御部が前記通常モードで動作するように制御する段階をさらに含むことができる。
【００２７】
（実施の形態の詳細な説明）
以下、本発明の実施形態に対して詳しく説明する。図１は本発明の一実施形態による電子装置の構成を示すブロック図である。電子装置１はＴＶ等のような家電機器で具現されることができる。電子装置１は通常動作する通常モードと、電力節減のための待機モードを有する。本発明の一実施形態による待機モードは、電子装置１の構成の中で電力消費が相対的に大きい主要な構成要素は電源が供給されない状態になるようにし、電力消費が相対的に小さい補助的な構成要素だけ動作するモードである。例えば、ＴＶのような電子装置１の場合、通常モードでリモコン（図示せず）や、操作パネル（図示せず）を通じて電源オフ命令が入力されれば待機モードになる。
【００２８】
待機モードでは、電子装置１の構成要素はその消費電力が所定値以下になる。電子装置１は待機モード中にユーザーの入力によって待機モードから覚めて、通常モードに移行して通常動作を実行する。例えば、ＴＶのような電子装置１は待機モード状態で、ユーザーの電源オン命令によって通常モードに再び移行することができる。
【００２９】
図１に示すように、電子装置１は動作実行部１１と、第１主制御部１２と、入力受信部１３と、第２主制御部１４と、副制御部１５と、電源供給部１６と、を含む。動作実行部１１は電子装置１の固有な動作を実行する。例えば、電子装置１がＴＶで具現される場合、動作実行部１１は映像信号を受信及び処理し、処理された映像信号に基づいて映像を表示することができる。動作実行部１１の例はこれに限られず、電子装置１が実行する動作乃至機能により多様に具現されることができる。動作実行部１１は通常モード中に電源供給部１６から電源が供給されて正常に動作し、待機モード中には電力節減のために電源が供給されない状態になることができる。図１では、図示の便宜のために、電源供給部１６から各構成要素に供給される電源のラインは省略される。
【００３０】
第１主制御部１２は電子装置１の主制御部として動作実行部１１の動作を制御する。第１主制御部１２はＣＰＵを含み、制御プログラムを実行して動作する。第１主制御部１２は制御プログラムを保存するためのフラッシュメモリー等の不揮発性のメモリーと、ＣＰＵが迅速にアクセスできるように保存された制御プログラムの少なくとも一部をローディンするＤＤＲのような揮発性のメモリーをさらに含むことができる。第１主制御部１２の制御プログラムは動作実行部１１の動作を制御するための内容でプログラムされる。第１主制御部１２は通常モード中に電源供給部１６から電源が供給されて正常に動作し、待機モード中には電力節減のために電源が供給されない状態になる。
【００３１】
入力受信部１３は待機モード中に入力信号を受信する。入力信号は、例えば、ユーザーの電源オン命令を含むことができる。ユーザーの電源オン命令は音声入力等の方式で入力されることができる。
【００３２】
第２主制御部１４は入力受信部１３を通じて受信される入力信号を処理する。第２主制御部１４は入力信号を処理できるマイクロプロセッサーの形態で具現される。第２主制御部１４は第１主制御部１２に比べて相対的に電力消費が少ない。
【００３３】
副制御部１５は待機モード中に第２主制御部１４の動作を制御し、マイクロプロセッサーの形態で具現される。副制御部１５も第１主制御部１２に比べて相対的に電力消費が少ない。
【００３４】
待機モード中に、相対的に消費電力が大きい動作実行部１１と第１主制御部１２は電源が供給されない状態になり、相対的に消費電力が小さい入力受信部１３と副制御部１５が動作する。
【００３５】
一方、第２主制御部１４は電力節減のために待機モード中に基本的には与えられた動作を実行せず電源を消費しない状態である。ただし、第２主制御部１４は入力信号のある場合に間欠的に与えられた動作を実行して入力信号を処理する。この場合に第２主制御部１４による電力消費が生じることができる。
【００３６】
以下の表１は本発明の一実施形態による電力モードの特性を示す。
【００３７】
【表１】
2014089711.tif 000003
[表１]で、‘オン’は該当構成要素が与えられた動作を実行して電力消費が発生する状態を、‘オフ’は該当構成要素が与えられた動作を実行せず電力消費が発生しない状態を示す。[表１]に示すように、第２主制御部１４は待機モード中に常に‘オン’状態になったり、常に‘オフ’状態になることでなく、基本的には‘オフ’状態になっており、必要に応じて‘オン’状態になって動作を実行する。このように、本発明の一実施形態によれば、待機モード中に入力信号の処理に必要な第２主制御部１４を間欠的に動作させることによって、電子装置１の電力消費を最小化することができる。
【００３８】
即ち、図６に示す従来技術の電子装置６と比べると、図１では、待機モード中に多くの電力消費を必要とする入力信号を処理するための機能を副制御部６５から分離させて、別途の第２主制御部１４を設けている点が異なる。これによって、副制御部１５を単純な入力信号を処理できる程度の小さい電力を消費する構成要素で具現できるようになり、待機モード中に消費電力制限規定を満足させることができる。
【００３９】
図２は図１に示す電子装置１の動作を示すフローチャートである。図２の実施形態では、電子装置１が待機モードである状態とする。前述のように、待機モードで、動作実行部１１、第１主制御部１２及び第２主制御部１４は電力が消費されない状態になる。先ず、動作Ｓ２１で、入力受信部１３は待機モードである状態で入力信号を受信する。次に、動作Ｓ２２で、副制御部１５は第２主制御部１４が受信された入力信号に関する処理を実行できるように制御する。例えば、副制御部１５は第２主制御部１４が覚めて動作することができるように第２主制御部１４にウェイクアップ信号を送信することができる。
【００４０】
次に、動作Ｓ２３で、第２主制御部１４が覚めれば、第２主制御部１４は入力信号に関する処理を実行する。第２主制御部１４は、入力信号に関する情報を副制御部１５から伝達されたり、あるいは入力受信部１３から直接に送信されることができる。動作Ｓ２４で、第２主制御部１４は入力信号に関する情報を分析して入力信号が通常モードへの移行を示すかどうかを判断する。例えば、入力信号はユーザーの音声命令を含み、第２主制御部１４は音声分析を実行して、音声命令が電源オン命令に該当するかどうかを判断することができる。
【００４１】
動作Ｓ２４で、入力信号が通常モードへの移行を示すと判断されれば、動作Ｓ２５で、第１主制御部１２が通常モードで動作するように制御される。例えば、音声命令が電源オン命令に該当する場合、第２主制御部１４はインターラプト信号を発生して副制御部１５にこれを送信する。副制御部１５は第２主制御部１４のインターラプト信号により第１主制御部１２が通常モードで動作するように制御する。例えば、副制御部１５は電源供給部１６のスイッチ（図示せず）を制御して第１主制御部１２に電源が供給されるようにすることができる。これによって、第１主制御部１２は待機モードから覚めて、通常動作を実行する。他の実施形態として、第２主制御部１４は、副制御部１５を介さず直接に、第１主制御部１２が通常モードで動作するように制御することもできる。
【００４２】
動作Ｓ２４で、入力信号が通常モードへの移行を示さないと判断されれば、動作Ｓ２６で、第２主制御部１４は再び待機モードの節電状態に復帰して電力消費を最小化する。第２主制御部１４は待機モードの節電状態に復帰する場合、復帰を示す情報を副制御部１５に送信することによって、副制御部１５が第２主制御部１４の動作状態を把握できるようにすることができる。
【００４３】
図３は本発明の他の実施形態による電子装置の構成を示す。電子装置３は動作実行部１１と、第１主制御部１２と、入力受信部１３と、第２主制御部１４と、副制御部１５と、電源供給部１６と、保存部１７と、を含む。本実施形態の電子装置３に対して、図１及び２で説明した電子装置１と同一乃至は類似の構成要素に対する説明は省略する。
【００４４】
保存部１７はバッファーメモリーとして、入力信号に関する情報１７１を保存する。図４を参照してさらに詳しく説明する。図４は図３に示す電子装置３の動作を示すフローチャートである。図３の実施形態で、電子装置３は待機モードである状態とする。待機モードで、動作実行部１１、第１主制御部１２及び第２主制御部１４は電力が消費されない状態になる。先ず、動作Ｓ４１で、入力受信部１３は待機モードの状態で入力信号を受信する。次に、動作Ｓ４２で、副制御部１５は第２主制御部１４が電力が消費されない状態（スリープモード）から覚めて、動作するための初期化動作を実行するように制御する。例えば、副制御部１５は第２主制御部１４に初期化動作のための信号を送信することができる。第２主制御部１４は副制御部１５からの信号によりスリープモードから覚めて初期化動作を実行する。
【００４５】
一方、動作Ｓ４３で、副制御部１５は受信される入力信号に関する情報１７１を保存部１７に保存する。他の実施形態として、動作Ｓ４３は動作Ｓ４２より先に実行されることもできる。次に、動作Ｓ４４で、副制御部１５は第２主制御部１４の初期化が完了したかどうかを確認する。第２主制御部１４の初期化がまだ完了していない場合、再び動作Ｓ４３に戻る。一つの実施形態として、入力信号は第２主制御部１４の初期化動作中に一つ以上受信されることができ、この場合、複数の入力信号に関する情報１７１は保存部１７に順次的に保存されることができる。
【００４６】
動作Ｓ４４で、第２主制御部１４の初期化が完了していると、副制御部１５は保存部１７に保存された入力信号に関する情報１７１を第２主制御部１４に送信する。次に、動作Ｓ４４で、第２主制御部１４は入力信号に関する情報１７１に基づいて入力信号に関する処理を実行する。動作Ｓ４７で、第２主制御部１４は入力信号に関する情報１７１を分析して入力信号が通常モードへの移行を示すかどうかを判断する。
【００４７】
動作Ｓ４７で、入力信号が通常モード移行を示すと判断されれば、動作Ｓ４８で、第１主制御部１２が通常モードで動作するように制御される。例えば、音声命令が電源オン命令に該当する場合、第２主制御部１４はインターラプト信号を発生して副制御部１５にこれを送信する。副制御部１５は第２主制御部１４のインターラプト信号により第１主制御部１２が通常モードで動作するように制御する。
【００４８】
動作Ｓ４７で、入力信号が通常モードへの移行を示さないと判断されれば、動作Ｓ４９で、第２主制御部１４は再び待機モードの節電状態に戻って電力消費を最小化する。
【００４９】
このように、本実施形態によると、第２主制御部１４が初期化動作を実行している間、入力信号を保存部１７に臨時に保管することによって、第２主制御部１４が初期化完了後に入力信号に対する処理を実行したときのエラー発生を防止できる。
【００５０】
図５は本発明の他の実施形態による電子装置の構成を示す。電子装置５は動作実行部１１と、第１主制御部１２と、入力受信部１３と、第２主制御部１４と、副制御部１５と、電源供給部１６と、保存部１７と、を含む。本実施形態の電子装置５に対して、図１乃至図４を参照して説明した電子装置（１及び３）と同一乃至は類似の構成に対しては説明を省略する。
【００５１】
本発明の実施形態よると、電子装置５はＴＶのようなディスプレイ装置の構成を含むことができる。即ち、動作実行部１１は信号受信部１１１、映像処理部１１２及びディスプレイ部１１３を含む。信号受信部１１１はＴＶ放送信号等の放送信号送信装置（図示せず）から放送信号を映像信号として受信したり、ＤＶＤプレーヤー、ＢＤプレーヤー等の映像機器から映像信号を受信したり、ＰＣから映像信号を受信したり、スマトーフォン、スマートパッド等のモバイル機器から映像信号を受信したり、インターネット等のネットワークを通じて映像信号を受信したり、ＵＳＢ保存媒体のような保存媒体に保存された映像コンテンツを映像信号として入力することができる。
【００５２】
映像処理部１１２は信号受信部１１１によって受信された映像信号を処理して映像が表示されるようにする。映像処理部１１２はデコーディング、イメージエンハンスメント、スケーリング等を含むことができる。ディスプレイ部１１３は映像処理部１１２によって処理された映像信号に基づいて映像を表示する。ディスプレイ部１１３が映像を表示する方式は制限がなくて、ＬＣＤ、ＰＤＰ、ＯＬＥＤ等を含む。
【００５３】
本実施形態の入力受信部１３は第１入力受信部１３１及び第２入力受信部１３２を含むことができる。第１入力受信部１３１はユーザーの操作命令を含む入力信号を受信する。第１入力受信部１３１はリモコン（図示せず）からユーザーの操作命令が含まれたリモコン信号を入力信号として受信することができる。または、第１入力受信部１３１は少なくとも一つの操作キー（図示せず）を含む操作パネルの形態で電子装置５に設けられて、操作キーを通じるユーザーの操作命令を含む入力信号を受信することもできる。
【００５４】
第２入力受信部１３２はユーザーの音声命令を含む入力信号を受信する。例えば、第２入力受信部１３２はマイクロフォンの形態で具現されてユーザーの音声を入力信号に変換することができる。第２主制御部１４は第２入力受信部１３２を通じて受信される入力信号に対応するように音声の入力信号を処理するように設けられる。他の例として、第２入力受信部１３２はユーザーの音声だけでなくユーザーのイメージや、ユーザーの動き、ジェスチャー等を認識して入力信号として受信することもできる。この場合、第２主制御部１４はイメージあるいはジェスチャーの入力信号を処理することができるように設けられる。
【００５５】
本実施形態の副制御部１５は第１副制御部１５２及び第２副制御部１５３を含むことができる。第１副制御部１５２は第１入力受信部１３１を通じて受信されるユーザーの操作命令を含む入力信号を処理する。すなわち、第１副制御部１５２は待機モード中に第１入力受信部１３１を通じてユーザーの操作命令を含む入力信号が受信されれば、操作命令が通常モードへの移行を示すかどうかを判断する。操作命令が通常モードへの移行を示す場合、例えば、ユーザーが電源オンに該当するキーを押した場合、第１副制御部１５２は電源供給部１６を制御して第１主制御部１２が通常モードで動作することができるようにする。
【００５６】
第２副制御部１５３は第２入力受信部１３２を通じて受信されるユーザーの音声命令を含む入力信号を処理する。すなわち、第２副制御部１５３は待機モード中に第２入力受信部１３２を通じてユーザーの音声命令を含む入力信号が受信されれば、図１乃至図４を参照して説明したように、第２主制御部１４が入力信号に関する処理を実行できるように制御する。
【００５７】
追加的な実施形態として、第２副制御部１５３は音声前処理を実行できる音声エンジンを含むことができる。この場合、第２副制御部１５３は受信される入力信号に対して音声前処理を実行し、音声前処理が実行された入力信号の情報を第２主制御部１４に伝達する。
【００５８】
本実施形態の第２主制御部１４は音声の入力信号を処理できる音声エンジンを含む。第２主制御部１４は受信された入力信号に対して音声分析を実行し、音声命令が通常モードへの移行を示す場合、第１副制御部１５２にインターラプト信号を送信する。第１副制御部１５２は第２主制御部１４からインターラプト信号が受信されれば、図１乃至図４を参照して説明したように、第１主制御部１２が通常モードで動作することができるように制御する。受信された入力信号に対して音声分析を実行した結果、音声命令が通常モードへの移行を示さない場合、第１副制御部１５２は再び待機モードの節電状態に復帰する。
【００５９】
本発明の一実施形態によると、待機モード中に第１副制御部１５１の電力消費が約１００mW、第２副制御部１５２が約１５０mW、そして、第２主制御部１４がスリープモード中に約２０〜３０mW、ウェイクアップ後の動作のときに約２００〜３００mW程度であり、第２主制御部１４は間欠的に動作するので、待機モード中に電子装置１の平均消費電力を約５００mW以下で具現することができる。
【００６０】
以上、多様な実施形態を通じて本発明に対して詳しく説明したが、本発明はこれに限定されず、特許請求の範囲の内で多様に実施されることができる。
【符号の説明】
【００６１】
１、３、５  電子装置
１１    動作実行部
１２    第１主制御部
１３    入力受信部
１４    第２主制御部
１５    副制御部
１６    電源供給部
１７    保存部
１１１  信号受信部
１１２  映像処理部
１１３  ディスプレイ部
１３１  第１入力受信部
１３２  第２入力受信部
１５１  第１副制御部
１５２  第２副制御部
１７１  入力信号に関する情報
【図１】
2014089711.tif 000004
【図２】
2014089711.tif 000005
【図３】
2014089711.tif 000006
【図４】
2014089711.tif 000007
【図５】
2014089711.tif 000008
【図６】
2014089711.tif 000009